(57)【要約】      （修正有）【課題】停電時、非常用照明としての構造を果たす非常照明機能付き照明器具を提供する。【解決手段】スイッチ９０を通じて給電電流の提供に用いられる電力供給システム８０と電気的に接続できる非常照明機能付き照明器具１であって、照明ユニット２０と、電力蓄積ユニット３０と、検出ユニット４０と、制御ユニット５０と、を含む。電力供給システム８０の給電が停止するとき、スイッチ９０がオンにされる時発光することで、照明器具１が停電時非常用照明器具として使用させることができる。電力供給システム８０の給電が停止したが、スイッチ９０がオンにされていない時、照明器具１が発光しないことで、照明器具１内の電力蓄積ユニット３０の電力を節約する。【選択図】図１
0003193468.tif 000002
【実用新案登録請求の範囲】
【請求項１】
スイッチを通じて給電電流の提供に用いられる電力供給システムと電気的に接続できる非常照明機能付き照明器具であって、
照明ユニットと、
電力蓄積ユニットと、
前記スイッチと電気的に接続し、前記スイッチの導通の有無、及び、前記給電電流が前記照明器具に入力されているかどうかを検出し、また、前記スイッチが導通し、前記給電電流が前記照明器具に入力されていないことを検出した時に通知信号を生成する検出ユニットと、
前記照明ユニットと前記電力蓄積ユニットと前記検出ユニットと電気的に接続し、前記通知信号に基づいて前記電力蓄積ユニットを制御して前記照明ユニットに給電することで、前記照明ユニットを発光させる制御ユニットと、
を含むことを特徴とする非常照明機能付き照明器具。
【請求項２】
前記検出ユニットは、ループ検出信号を発し、前記ループ検出信号を発した後の所定時間以内に前記ループ検出信号の受信の有無によって前記スイッチの導通の有無を判断するために用いられることを特徴とする請求項１に記載の照明器具。
【請求項３】
前記スイッチが導通し、且つ、前記給電電流が前記照明器具に入力され、前記電力蓄積ユニットに満充電されていない時、前記制御ユニットは前記給電電流を制御して電力蓄積ユニットへ充電することを特徴とする請求項２に記載の照明器具。
【請求項４】
前記スイッチが導通し、且つ、前記給電電流が前記照明器具に入力された時、前記照明ユニットは前記給電電流を介して発光し、また、前記照明ユニットが前記電力蓄積ユニットの給電を介して発光する時の発光輝度は、前記照明ユニットが前記給電電流を介して発光する時の発光輝度を下回ることを特徴とする請求項３に記載の照明器具。
【請求項５】
前記検出ユニットは、マイクロコントローラとすることを特徴とする請求項４に記載の照明器具。
【考案の詳細な説明】
【技術分野】
【０００１】
本考案は、照明器具に関し、特に、停電時、非常用照明としての機能を果たす照明器具に関する。
【背景技術】
【０００２】
停電時の非常照明需要に対応するため、現在多くの屋内の大半では一般照明灯に非常用照明器具を外付けることで、台風、地震或いはその他の事象の発生により停電した時、非常用照明としての機能を果たしてきた。
【０００３】
しかしながら現在の非常用照明器具は、大半が家庭内の灯器に外付けするため、別に経費をかけて購買する以外に、壁面に掛けると壁面の美観性を低下させてきた。且つ一旦停電が起きた時、家庭内で電灯を使用しているかどうかを問わず、非常用照明器具が自動的に点灯するため、停電当時が日中又は家人が不在の時、この種の照明モデルでは、非常用照明器具内に蓄積されている電力に無駄が生じてしまい、あまりインテリジェントではない。
【０００４】
よって、前記の問題点を改良するため、実際新しい照明器具を考案する必要があった。
【考案の概要】
【考案が解決しようとする課題】
【０００５】
そこで本考案は、停電時、非常用照明としての機能を果たす照明器具を提供することを主な目的とする。
【課題を解決するための手段】
【０００６】
本考案の主な目的を達成するため、本考案の非常照明機能付き照明器具は、スイッチを通じて給電電流の提供に用いられる電力供給システムと電気的に接続できる。本考案の照明器具は、照明ユニットと電力蓄積ユニットと検出ユニットと制御ユニットとを含む。
【０００７】
検出ユニットは、スイッチと電気的に接続し、スイッチの導通の有無及び給電電流が照明器具に入力されているかどうかを検出し、またスイッチが導通し、給電電流が照明器具に入力されていないことを検出した時に通知信号を生成するために用いられる。制御ユニットは、照明ユニットと電力蓄積ユニットと検出ユニットと電気的に接続し、通知信号に基づいて電力蓄積ユニットを制御して照明ユニットに給電することで、照明ユニットを発光させるために用いられる。
【０００８】
本考案の一実施例によれば、本考案の検出ユニットは、ループ検出信号を発し、該ループ検出信号を発した後の所定時間以内に該ループ検出信号の受信の有無によってスイッチの導通の有無を判断するために用いられる。
【０００９】
本考案の一実施例によれば、スイッチが導通し且つ給電電流が照明器具に入力され、電力蓄積ユニットに満充電されていない時、制御ユニットは給電電流を制御して電力蓄積ユニットへ充電する。
【００１０】
本考案の一実施例によれば、スイッチが導通し且つ給電電流が照明器具に入力された時、照明ユニットは給電電流を介して発光する。照明ユニットが電力蓄積ユニットの給電を介して発光する時の発光輝度は、照明ユニットが給電電流を介して発光する時の発光輝度を下回る。
【００１１】
本考案の一実施例によれば、本考案の検出ユニットは、マイクロコントローラとする。
【図面の簡単な説明】
【００１２】
【図１】本考案の照明器具の設置構成図である。
【図２】本考案の停電時光源発光を制御する方法の実施例１のステップフローチャートである。
【図３】本考案の停電時光源発光を制御する方法の実施例２のステップフローチャートである。
【考案を実施するための形態】
【００１３】
以下に、本考案の上記目的と他の目的、特徴及び利点を更に明確に分かりやすくするため、本考案の具体的実施例を添付図面に基づいて説明する。
【００１４】
まず図１の本考案の照明器具の設置構成図を参照しながら説明する。
【００１５】
図１に示すように、本考案の照明器具１は、スイッチ９０を通じて電力供給システム８０と電気的に接続できる。本考案の実施例において、電力供給システム８０は発電システム８１と電源アダプター８２とを備える。本実施例において、発電システム８１は発電所内の発電設備である。発電システム８１の正常給電時、発電システム８１は、高電圧の給電電流を発生並びに出力できる。高電圧の給電電流は、ケーブルを経由して電柱上の電源アダプター８２まで伝送され、電圧降下後電源アダプター８２によって電圧が比較的低い給電電流を形成することで照明器具１に提供される。スイッチ９０は、家の機械式接点の押しボタンスイッチとし、照明器具１と電力供給システム８０間の電流伝送経路を導通又は遮断し、給電電流がスイッチ９０の導通時照明器具１に入力されることで照明器具１に給電するために用いられる。本考案の一実施例において、本考案の照明器具１は、整流ユニット１０と、照明ユニット２０と、電力蓄積ユニット３０と、検出ユニット４０と、制御ユニット５０と、を含む。
【００１６】
整流ユニット１０は、スイッチ９０と電気的に接続され、入力された給電電流が交流の形態から直流の形態に変換するために用いられる。
【００１７】
照明ユニット２０は、給電電流が通過した時、若しくは電力蓄積ユニット３０から給電された時に発光できる。本考案の具体的実施例において、照明ユニット２０は発光ダイオード２個を含む。ただし、本考案はこれに限るものではない。
【００１８】
電力蓄積ユニット３０は、照明ユニット２０へ給電することに用いることができる。本考案の具体的実施例において、電力蓄積ユニット３０は充放電を繰り返して何度でも使えるリチウムイオン電力蓄積ユニットとするが、本考案はこれに限るものではない。
【００１９】
本考案の一実施例において、検出ユニット４０はスイッチ９０と電気的に接続されている。検出ユニット４０は、スイッチ９０の導通の有無及び電力供給システム８０から供給される給電電流が照明器具１に入力されているかどうかを検出し、またスイッチ９０が導通し、給電電流が入力されていることを検出した時通知信号を生成するために用いられる。本考案の実施例において、検出ユニット４０は、マイクロコントローラ（Ｍｉｃｒｏｃｏｎｔｒｏｌｌｅｒ  Ｕｎｉｔ、  ＭＣＵ）とするが、本考案はこれに限るものではない。検出ユニット４０の検出挙動に関しては、以下に更なる詳細説明があるため、ここで省略する。
【００２０】
本考案の一実施例において、制御ユニット５０は、整流ユニット１０と、照明ユニット２０と、電力蓄積ユニット３０と、検出ユニット４０と、電気的に接続され、検出ユニット４０が生成した通知信号に基づき、電力蓄積ユニット３０が電力を有する状態の下で、電力蓄積ユニット３０を制御して照明ユニット２０に給電することで照明ユニット２０を発光させるために用いられる。本考案の具体的実施例において、制御ユニット５０はマイクロコントローラ（Ｍｉｃｒｏｃｏｎｔｒｏｌｌｅｒ  Ｕｎｉｔ、ＭＣＵ）とするが、本考案はこれに限るものではない。制御ユニット５０の制御挙動に関しては、以下に更なる詳細説明があるため、ここで省略する。そこで、特に、本考案の検出ユニット４０及び制御ユニット５０は、実際に運用する時も単一のマイクロコントローラ内に統合して実現できる。
【００２１】
次に、図１及び図２を参照しながら説明する。図２は、本考案の停電時における光源発光を制御する方法の実施例１のステップフローチャートである。以下、図１を基に順番通り図２に示す各ステップを説明する。ただし、以下の前記照明器具１を例として本考案で開示する停電時における光源発光を制御する方法を説明するが、この方法は前記照明器具１にのみ使用するとは限らない。
【００２２】
最初に、スイッチの導通の有無を検出するステップ２０１を行う。
【００２３】
まず、スイッチ９０の使用状態を確認するため、本実施例において本考案の照明器具１内の検出ユニット４０は、絶え間なくループ検出信号を発することでスイッチ９０が導通或いは遮断しているかを判断する。図１に示すように、信号が発せられた後、スイッチ９０が導通している場合、この時の伝送経路が閉ループ状態を呈するため、ループ検出信号を所定時間以内に検出ユニット４０内に返すことができる。逆に、信号が発せられた後、所定時間以内にループ検出信号の返しを検出できない場合、スイッチ９０が遮断状態になることを示す。よって、検出ユニット４０は、ループ検出信号が発せられた後の所定時間以内にループ検出信号の受信の有無によって、スイッチ９０が導通状態になるかを判断できる。
【００２４】
次に、給電電流が照明器具に入力されているかを検出するステップ２０２を行う。
【００２５】
スイッチ９０の導通時、電力供給システム８０から正常に給電できる場合、電力供給システム８０から発生した給電電流は、照明器具１に入力できる。検出ユニット４０とスイッチ９０が直列接続するため、一旦給電電流が照明器具１に入力されると、検出ユニット４０は給電電流を検出できる。逆に、電力供給システム８０から正常に給電できず、給電電流が発生できない場合、検出ユニット４０は給電電流の入力を検出できない。よって、スイッチ９０の導通を判断した後、検出ユニット４０は給電電流の入力の有無の検出を通じて発電システム８１が正常に給電しているかを判断できる。
【００２６】
給電電流を制御して照明ユニットを通過するステップ２０３を行う。
【００２７】
本考案の実施例において、検出ユニット４０は、スイッチ９０が導通し、且つ給電電流も照明器具１までに入力されていることを検出した時、制御ユニット５０が給電電流を制御して照明ユニット２０を通過する。つまり電力供給システム８０から照明ユニット２０に給電されることで、照明ユニット２０内の発光ダイオード２個をいずれも給電電流を介して発光させることができる。
【００２８】
これ以外に、本考案の実施例において、スイッチ９０が導通し且つ給電電流が照明器具１に入力された時、電力蓄積ユニット３０が満充電していない状態を呈した場合、制御ユニット５０も一部の給電電流を制御して電力蓄積ユニット３０を介することで電力蓄積ユニット３０に給電電流を通じて充電させることができる。
【００２９】
制御電力蓄積ユニットを制御して照明ユニットに給電するステップ２０４を行う。
【００３０】
スイッチ９０の導通を検出した時、照明器具１が元々使用されている最中であり、よって一旦スイッチ９０が導通し、検出ユニット４０が給電電流の入力を検出できず、つまり電力供給システム８０から正常に給電できない時、検出ユニット４０は通知信号を生成すると共に制御ユニット５０まで伝送する。制御ユニット５０は、通知信号に基づき電力蓄積ユニット３０を制御して照明ユニット２０に給電できる。本考案の実施例において、電力蓄積ユニット３０の給電可能時間を延長するため、ステップ２０４において制御ユニット５０が電力蓄積ユニット３０を制御して照明ユニット２０内のうちのいずれかの発光ダイオードにのみ給電することで、該発光ダイオードを電力蓄積ユニット３０の給電を通じて発光させることができる。詳細に言うと、本考案の実施例において照明ユニット２０が電力蓄積ユニット３０の給電で発光する時の発光輝度は、給電電流で発光する時の発光輝度を下回る。
【００３１】
照明ユニットを発光させないステップ２０５を行う。
【００３２】
ステップ２０１において、一旦スイッチ９０の非導通を検出することで、電力供給システム８０から正常な給電状態となり、発生した給電電流もスイッチ９０が非導通となることで照明器具１に入力できない。つまり、この時電力供給システム８０から正常に給電されているかどうかを問わず、いずれも照明器具１に給電できない。またスイッチ９０が非導通の時、照明器具１が元から使用されていないことを示し、例えば、停電当時が日中或いは利用者が外出していた時、電力蓄積ユニット３０の電力を節約するため、一旦スイッチ９０が非導通である時、制御ユニット５０は電力蓄積ユニット３０を制御して照明ユニット２０に給電することはない。この時、照明ユニット２０には給電電流が入力されず、且つ電力蓄積ユニット３０も給電しない状態で発光しない。
【００３３】
その後、利用者が照明器具１を使用しようとして、電力供給システム８０から正常に給電できていない時、スイッチ９０を押してスイッチ９０を導通させるだけで、再度前記判断手段によって照明ユニット２０を電力蓄積ユニット３０からの給電で発光させることで、停電時の非常用照明としての機能を果たすことができる。
【００３４】
最後に、図１及び図３を参照しながら説明する。図３は、本考案の停電時における光源発光を制御する方法の実施例２のステップフローチャートである。以下に、図１を踏まえ順番通り図３に示される各ステップを説明する。同様に、前記照明器具１を例として本考案で開示する停電時における光源発光を制御する方法を説明するが、この方法は前記照明器具１にのみ使用されるとは限らない。
【００３５】
最初に、給電電流が照明器具に入力されているかどうかを検出するステップ３０１を行う。
【００３６】
前記実施例との相違点は、本実施例において、検出ユニット４０が絶え間なくループ検出信号を発すことなく、給電電流の入力を検出しなかった時のみにループ検出信号を発すことである。言い換えると、一旦検出ユニット４０が給電電流の入力があると検出した時、スイッチ９０が必ず導通し、且つ電力供給システム８０からも正常に給電されていることを示す。このため、この時ループ検出信号は発せられない。よって、本実施例において、ステップ１は、給電電流が照明器具に入力されているかどうかを検出し、且つ一旦給電電流の入力があると検出された場合、制御ユニット５０は給電電流を制御して照明ユニット２０を通過することで、照明ユニット２０を給電電流を介して発光させる（つまりステップ３０２を実行）。
【００３７】
このほかに、本実施例において給電電流が照明器具１に入力され、電力蓄積ユニット３０は満充電していない状態を呈した場合、制御ユニット５０が同様に一部の給電電流を制御して電力蓄積ユニット３０を介することで電力蓄積ユニット３０に給電電流で充電させることができる。
【００３８】
次に、スイッチの導通の有無を検出するステップ３０３を行う。
【００３９】
前述に続き、検出ユニット４０が給電電流の入力を検出しなかった時、２つの状態をいずれも検出ユニット４０が給電電流を検出できないため、給電電流が照明器具１に入力されると検出しなかった時、給電電流の未入力原因を更に確認するため、検出ユニット４０がこの時ループ検出信号を発することで、スイッチ９０が導通或いは遮断しているかを判断する。スイッチ９０の導通の有無を検出する方法は、前記実施例に記載されている方法と同じであるため、ここに詳細な説明を省略する。
【００４０】
電力蓄積ユニットを制御して照明ユニットに給電するステップ３０４を行う。
【００４１】
ステップ３０３において、一旦スイッチ９０が導通していると検出すると、これをもって給電電流の未入力原因は電力供給システム８０から正常に給電できていない（即ち停電）と判定できる。この時検出ユニット４０は、通知信号を生成すると共に制御ユニット５０までに伝送し、制御ユニット５０は電力蓄積ユニット３０が電力を有する状態の下で、通知信号に基づき電力蓄積ユニット３０を制御して照明ユニット２０に給電する。これにより、照明ユニット２０は、電力供給システム８０から正常に給電されていない時でも電力蓄積ユニット３０の供給電力を利用して発光して非常用照明として使用できる。同様に、本実施例において、照明ユニット２０が電力蓄積ユニット３０の給電を介して発光する時の発光輝度は、給電電流を介して発光する時の発光輝度を下回る。
【００４２】
照明ユニットを発光させないステップ３０５を行う。
【００４３】
逆に、ステップ３０３において、一旦スイッチ９０の非導通状態を検出した時、利用者が照明器具１の使用中ではなく、例えば外出或いは日中であると判定できる。よって、スイッチ９０が非導通状態の下で、照明ユニット２０は給電電流を介して発光できない以外に、照明器具１の電力蓄積ユニット３０の電力を節約するため、この時制御ユニット５０は電力蓄積ユニット３０を制御して照明ユニット２０に給電することはない。
【００４４】
同様に、ステップ３０５が完了した後、一旦利用者が照明器具１を使用しようとし、電力供給システム８０からやはり正常に給電できない時、スイッチ９０を押してスイッチ９０を導通させるだけで、再度前記判断手段により照明ユニット２０が電力蓄積ユニット３０からの給電を通じて発光させることで、停電時非常用照明としての機能を果たすことができる。
【００４５】
本考案に開示される停電時光源発光を制御する方法は、上記実施例のステップ順番に限るものではなく、本考案の目的を達成できるだけで、上記ステップの順番も変更できる。
【００４６】
以上の説明から分かるように、本考案の照明器具１は、一般発電システム８１からの正常な給電状態の下で、一般照明器具として使用でき、電力供給システム８０から正常に給電できない時、非常用照明器具として使用できる。且つ本考案の照明器具１は、スイッチ９０がオンにされているかを検出することで、照明器具１は正に利用者が使用されているかを判断し、更に照明器具１の使用中の有無によって停電時照明ユニット２０の発光或いは不発光を制御し、停電であるが非常用照明の必要としない状態で照明ユニット２０の発光を一時停止することで、照明器具１の電力蓄積ユニット３０の不必要な電力消費を節約できる。
【００４７】
上記の詳細な説明を通じて本考案の目的、手段及び効果についていずれも従来技術の特徴と全く違いを示している。ただし、以上の述べる複数の実施例は、あくまでも本考案の技術内容を明らかにするものであって、このような具体例のみに限定されるべきものではなく、本考案で主張する権利範囲は、実用新案登録請求の範囲で記載されるものを基準とする。
【符号の説明】
【００４８】
１  照明器具
１０  整流ユニット
２０  照明ユニット
３０  電力蓄積ユニット
４０  検出ユニット
５０  制御ユニット
８０  電力供給システム
８１  発電システム
８２  電源アダプター
９０  スイッチ
【図１】
0003193468.tif 000003
【図２】
0003193468.tif 000004
【図３】
0003193468.tif 000005